【事件の表示】
　平成　６年特許願第　５８６９４号「撮像装置」拒絶査定不服審判事件〔平成　７年１０月２０日出願公開、特開平　７−２７４０７６〕について、次のとおり審決する。
【結　論】
　本件審判の請求は、成り立たない。
【理　由】
第１　手続の経緯
　本願は，平成６年３月２９日の出願であって，平成１５年１０月７日付けで拒絶理由が通知され，これに対し，平成１５年１１月２５日付けで手続補正がなされ，平成１６年７月２７日付けで拒絶査定がなされ，これに対し，平成１６年８月３０日に拒絶査定に対する審判請求がなされるとともに，平成１６年９月２７日付けで手続補正（明細書または図面について請求の日から３０日以内にする補正）がなされたものである。
　
第２　平成１６年９月２７日付けの手続補正についての補正却下の決定
［補正却下の決定の結論］
　平成１６年９月２７日付けの手続補正を却下する。
［理由］
１　本件補正の内容
　平成１６年９月２７日付けの手続補正（以下，「本件補正」という。）は，本件補正前の特許請求の範囲の請求項１ないし５のうち，請求項１及び２の記載を
「【請求項１】入射光量に対応した電荷を発生する，１画面分の画素に対応した光電変換手段と，
　前記光電変換手段により発生された電荷を読み出し，垂直方向に転送する垂直転送手段と，
　前記垂直転送手段により転送された電荷を読み出し，水平方向に転送する水平転送手段と，
　前記光電変換手段により発生された電荷の，前記垂直転送手段による読み出しおよび転送とその速度，並びに，前記垂直転送手段に転送された電荷の，前記水平転送手段による読み出しおよび転送を制御する制御手段と，
　ユーザが撮像を指示する場合に操作入力するシャッタボタンと
　を備え，
　前記シャッタボタンが操作されたとき，
　　前記光電変化手段は，発生した前記電荷を掃き捨てた後，電荷の蓄積を開始して，所定期間電荷を蓄積し，
　　前記制御手段は，前記垂直転送手段に残されている前記電荷の，前記水平転送手段への高速転送を制御して前記垂直転送手段の前記電荷をクリヤさせるとともに，高速転送された前記水平転送手段の前記電荷の転送を制御して，前記水平転送手段の前記電荷をクリヤさせたのち，前記光電変換手段により発生された電荷の，前記垂直転送手段による読み出しが開始されるように制御する
　ことを特徴とする撮像装置。
【請求項２】前記水平転送手段により水平方向に転送された前記指示手段の指示直後の入射光量に対応した電荷に基づく画像信号を記憶する記憶手段を
　さらに備えたことを特徴とする請求項１に記載の撮像装置。」
から，
「【請求項１】入射光量に対応した電荷を発生する，１画面分の画素に対応した光電変換手段と，
　前記光電変換手段により発生された電荷を読み出し，垂直方向に転送する垂直転送手段と，
　前記垂直転送手段により転送された電荷を読み出し，水平方向に転送する水平転送手段と，
　前記光電変換手段に対して，発生された電荷を掃き捨てた後に電荷の蓄積を開始して所定期間電荷を蓄積するよう制御するための電子シャッタ信号を与え，前記垂直転送手段に対して，前記光電変換手段により発生された電荷の読み出しを制御するための読み出し信号，および，読み出した電荷の垂直方向への転送とその速度を制御する垂直転送信号を与え，前記水平転送手段に対して，前記垂直転送手段により転送された電荷の読み出しと水平方向への転送を制御する水平転送信号を与える制御手段と，
　ユーザが撮像を指示する場合に操作入力するシャッタボタンと
　を備え，
　前記シャッタボタンが操作されたとき，
　　前記制御手段は，前記シャッタボタンの操作に応じて前記電子シャッタ信号，前記読み出し信号，前記垂直転送信号，および，前記水平転送信号のタイミングをリセットし，前記光電変換手段に対して新たなタイミングで前記電子シャッタ信号を与えるとともに，前記垂直転送手段に対して，電荷の高速転送を行わせる前記垂直転送信号を与え，
　　前記垂直転送手段は，前記制御手段からの前記垂直転送信号に応じて，残されている電荷を前記水平転送手段へ高速転送してクリヤし，
　　前記水平転送手段は，前記制御手段からの前記水平転送信号に応じて，前記垂直転送手段より高速転送された電荷を水平転送してクリヤし，
　　前記光電変換手段は，前記制御手段より新たなタイミングで与えられた前記電子シャッタ信号に応じて，発生した前記電荷を掃き捨てた後，電荷の蓄積を開始して，所定期間電荷を蓄積し，
　　前記制御手段は，前記光電変換手段により電荷の蓄積が終了した後，前記垂直転送手段に対して前記読み出し信号を与え，前記垂直転送手段による高速転送が終了した後，前記垂直転送手段に対して，電荷の通常転送を制御する前記垂直転送信号を与え，
　　前記垂直転送手段は，前記光電変換手段により電荷の蓄積が終了した後，前記制御手段からの前記読み出し信号に応じて，蓄積された電荷の読み出しを開始し，前記制御手段からの前記垂直転送信号に応じて，電荷を前記水平転送手段へ通常転送する
　ことを特徴とする撮像装置。
【請求項２】前記水平転送手段により水平方向に転送された前記シャッタボタンによる指示直後の入射光量に対応した電荷に基づく画像信号を記憶する記憶手段を
　さらに備えたことを特徴とする請求項１に記載の撮像装置。」
に補正するものである。
　　
２　本件補正の適合性
（１）補正の範囲（平成６年改正前特許法第１７条の２第２項）
　本件補正は，願書に最初に添付した明細書又は図面に記載した事項の範囲内においてする補正である。
（２）補正の目的（平成６年改正前特許法第１７条の２第３項）
　本件補正は，請求項１に記載した発明を特定するために必要な事項である「光電変換手段」，「垂直転送手段」，「水平転送手段」，「制御手段」について限定を付加するとともに，請求項１の「前記光電変化手段」を「前記光電変換手段」に訂正し，請求項２の「前記指示手段」を「前記シャッタボタン」に訂正するものであって，特許法第１７条の２第３項第２号の特許請求の範囲の減縮及び同第３号の誤記の訂正を目的とするものに該当する。
（３）独立特許要件の検討（特許法第１７条の２第５項）
　そこで，本件補正後の前記請求項１に記載された発明（以下「本願補正発明」という。）が特許出願の際独立して特許を受けることができるものであるか（特許法第１７条の２第５項において準用する同法第１２６条第５項の規定に違反するか）について以下に検討する。　
ア　引用例
　原査定の拒絶の理由に引用された特開平６−１４２７０号公報（平成６年１月２１日出願公開，以下「引用例１」という。）には，図面とともに，次のとおりの記載がある。
（ア）「図３は従来のテレビカメラ装置のブロック図である。図３において，１は画像を撮像するインターライントランスファー型ＣＣＤである。２はＣＣＤ１内のフォトダイオードであり，露光された画像が電荷として蓄積される。３はＣＣＤ１内の垂直レジスタであり，トランスファーゲートパルスにより，フォトダイオード２に蓄積されていた電荷が転送されてくる。４はＣＣＤ１内の水平レジスタであり，垂直レジスタ３から水平ライン１本分の電荷が転送，蓄積される。５はＣＣＤカメラの走査系タイミング発生器で，画像読みだしパルス，電荷掃き捨てパルス，トランスファーゲートパルスの制御を行う。６は同期信号発生器であって走査系タイミング発生器５へ出力する。７は映像信号処理回路である。１８はテレビカメラ装置よりの画像出力を記憶するための画像メモリであって内部に同期リセット回路１９を有する。」（段落【０００３】）
（イ）「以上のように構成されるテレビカメラ装置について図３，図４を用いて電子シャッター動作について説明する。図４におけるａ点まではシャッタートリガが入力されていない状態で，電荷掃き捨てパルスは水平同期信号に同期して１水平走査期間内に１回，走査系タイミング発生器５よりＣＣＤ１へ送られ，これによってフォトダイオード２は常に電荷の蓄積がない状態になっている。同様に画像読みだしパルスも走査系タイミング発生器５よりＣＣＤ１へ送られ，これによって垂直レジスタ３および水平レジスタ４内も電荷の蓄積がない状態になっている。」（段落【０００５】）
（ウ）「その後，ａ点において同期信号発生器６にシャッタートリガ信号が入力されると同期信号発生器６はそれに同期してリセットされ，走査系タイミング発生器５は電荷掃き捨てパルス，画像読みだしパルス，トランスファーゲートパルスを一定時間停止する。さらにｂ点においてトランスファーゲートパルスを作動させるとａ−ｂ期間にフォトダイオード２に蓄積された電荷が垂直レジスタ３へ転送される。シャッタートリガ信号に同期してリセットされた同期信号発生器６の垂直同期信号の立ち上がりに同期して，画像読みだしパルスを作動させることにより，シャッタートリガ入力後，ａ−ｂ期間露光された画像信号がＣＣＤ１より読みだされる。」（段落【０００６】）
　
　同じく原査定の拒絶の理由に引用された特開平５−１３０５１５号公報（平成５年５月２５日出願公開，以下「引用例２」という。）には，図面とともに，次のとおりの記載がある。
（エ）「電子シャッタ機能を有するフィールド蓄積型のＣＣＤイメージセンサでは，図７のＡに示す所謂垂直帰線期間（垂直ブランキング期間）を示すローレベルの信号（以下垂直ブランキング信号という）Ｖ　ＢＬＫが供給されたときに，図７のＢに示す画像読出パルスＳＧ（ハイレベル）が供給され，任意のフィールドの画像読出パルスＳＧから次のフィールドの画像読出パルスＳＧが供給されるまでに蓄積された電荷が次のフィールドの画像読出パルスＳＧに基づいて読み出されるようになっている。」（段落【０００９】）
（オ）「ところが，このように垂直ブランキング期間に信号電荷の読出しを行う構成としてあると，ビデオカメラで撮像したいタイミングから遅れて実際の撮像が行われる場合がある。（中略）本発明はかかる点に鑑み，任意のタイミングで撮像が行われる固体撮像装置を提供することを目的とする。」（段落【００１２】ないし段落【００１３】）
（カ）「ここで本例では，被写体検知装置２がビデオカメラ１０に接続してあり，移動する被写体１が，予め定めた範囲内にあることをこの被写体検知装置２で検知できるようにしてある。（中略）そして，被写体検知装置２が被写体１を検知したとき，被写体検知装置２からビデオカメラ１０のタイミング制御回路２０にトリガパルスを供給し，このトリガパルスにより撮像が行われるようにしてある。
　ここで，タイミング制御回路２０の構成を図２に示すと，この図２はＣＣＤ１２を駆動させるための構成を示し，端子２１に得られるタイミング制御回路２０からのトリガパルスを基準同期信号発生回路２２に供給する。この基準同期信号発生回路２２は，ビデオカメラ１０内で撮像に使用する垂直同期信号ＶＤと水平同期信号ＨＤとを作成する回路で，この基準同期信号発生回路２２が出力する同期信号ＶＤ及びＨＤを，タイミング発生回路２３に供給する。この場合，基準同期信号発生回路２２で作成される水平同期信号ＨＤは常時規定のタイミングで作成され，垂直同期信号ＶＤはトリガパルスが供給されるタイミングに基づいて作成が開始されようにしてあり，本例ではトリガパルスが供給されてから僅かな時間が経過した後，垂直同期信号ＶＤがローレベルになって垂直ブランキング期間になるようにしてある。なお，このトリガパルスが供給されてから垂直同期信号ＶＤがローレベルになるまでの時間が，後述するように露光時間を決定させる（中略）。
　そして，タイミング発生回路２３は，基準同期信号発生回路２２から供給される垂直同期信号ＶＤと水平同期信号ＨＤとを基準にして，ＣＣＤ１２を駆動させる場合に基準となる水平転送パルスや読出しパルスなどの各種パルスを作成する。（中略）そして，タイミング発生回路２３が出力する各種パルスをＣＣＤ駆動回路２５に供給し，この駆動回路２５で信号レベルなどを適正に設定してＣＣＤ１２の駆動パルスとし，この駆動パルスをＣＣＤ１２に供給する。このときＣＣＤ１２に供給する読出しパルスは，垂直ブランキング期間に立ち上がるようにしてある。この垂直ブランキング期間は，基準同期信号発生回路２２から供給される垂直同期信号ＶＤに基づいて判別される。」（段落【００１８】ないし段落【００２０】）
（キ）「ここで，この掃き捨てパルスの作成状態を図３を参照して説明すると，被写体検知装置２から図３のＡに示すトリガパルスが供給されるとき，第１のモノマルチバイブレータ２６で図３のＢに実線で示すシャッタパルスが作成される。このシャッタパルスは，トリガパルスが供給されると同時に立ち上がるパルスである。また，第２のモノマルチバイブレータ２７で図３のＣに示すように少なくとも露光期間（即ち電荷を蓄積している期間）よりも長い期間ハイレベルになるリセット禁止パルスが作成される。そして，タイミング発生回路２３から図３のＤに示す水平周期の水平転送パルスが出力されているとすると，ＮＯＲゲート２９から出力される掃き捨てパルスは，図３のＦに示すように，リセット禁止パルスがハイレベルになっている間水平転送パルスが間引かれると共に，シャッタパルスがこの間引かれたパルス列の最後に付加されたものになる。そして，この掃き捨てパルスがＣＣＤ１２に供給されることで，ＣＣＤ１２に蓄積した信号電荷の掃き捨てが制御され，掃き捨てが行われない期間に信号電荷の蓄積が行われる。」（段落【００２２】）
（ク）「そして本例においては，基準同期信号発生回路２２にも図３のＡに示すトリガパルスが供給されるようにしてあり，このトリガパルスが供給されてから僅かな時間が経過した後，基準同期信号発生回路２２で作成される垂直同期信号ＶＤが図３のＧに示すようにローレベルに変化して，垂直ブランキング期間となるようにしてある。そして，この垂直同期信号ＶＤがタイミング発生回路２３に供給されることで，垂直ブランキング期間の終了時に立ち上がる読出しパルス（図３のＨ）が作成され，この読出しパルスがＣＣＤ１２に供給されることで，ＣＣＤ１２に蓄積した信号電荷が読出される。　このため，掃き捨てパルスが最後に供給されてから読出しパルスが供給されるまでの間が，露光時間（即ち電荷の蓄積時間）になる。この場合，垂直ブランキング期間自体は一定の期間であり短縮させることが出来ないので，掃き捨てパルスが最後に供給されてから（即ちトリガパルスが供給されてから），垂直同期信号ＶＤが変化して垂直ブランキング期間になるまでの時間ｔ1 （図３参照）により，露光時間が決定する。また，この時間ｔ1 が零の状態が最も短い露光時間になる。」（段落【００２３】）
　
イ　対比
　本願補正発明と引用例１に記載された発明（以下「引用発明」という。）とを対比する。
ａ　「光電変換装置」，「垂直転送手段」，「水平転送手段」
　引用例１の上記記載（ア）ないし（ウ）及び図３によれば，引用例１に従来例として記載されたテレビカメラ装置は，シャッタートリガ信号の入力に応じてインターライントランスファー型ＣＣＤ１で撮像した画像を画像メモリに記憶するものであって，ＣＣＤ１内には，露光された画像を電荷として蓄積するフォトダイオード２，トランスファーゲートパルスによりフォトダイオード２に蓄積された電荷が転送される垂直レジスタ３，垂直レジスタ３から水平ライン１本分の電荷が転送，蓄積され，映像信号処理回路に画像を出力する水平レジスタ４，同期信号発生器６，及び同期信号発生器６からの同期信号を受けて，画像読みだしパルス，電荷掃き捨てパルス，トランスファーゲートパルスの制御を行う走査系タイミング発生器５を備えている。
　引用発明は，「撮像装置」ということができ，
　引用発明の「フォトダイオード２」，「垂直レジスタ３」，「水平レジスタ４」は，それぞれ本願補正発明にいう「入射光量に対応した電荷を発生する，１画面分の画素に対応した光電変換手段」，「前記光電変換手段により発生された電荷を読み出し，垂直方向に転送する垂直転送手段」，「前記垂直転送手段により転送された電荷を読み出し，水平方向に転送する水平転送手段」に対応する。
　
ｂ　「電子シャッタ信号」
（ｂ１）本願補正発明の「電子シャッタ信号」
　本願補正発明にいう「電子シャッタ信号」は，（請求項１の記載によれば，）「発生された電荷を掃き捨てた後に電荷の蓄積を開始して所定期間電荷を蓄積するよう制御するための電子シャッタ信号」であって，「シャッタボタンが操作されたとき」，「制御手段」により，「前記シャッタボタンの操作に応じて」その「タイミング」が「リセット」される。
　この記載からは，「電子シャッタ信号」は，何らかの周期性のある信号であると考えられる。
　一方，本願補正発明にいう「電子シャッタ信号」は，（請求項１の記載によれば，）「シャッタボタンが操作されたとき」，「前記光電変換手段に対して新たなタイミングで」与えられる信号でもあり，光電変換手段は，「前記制御手段より新たなタイミングで与えられた前記電子シャッタ信号に応じて，発生した前記電荷を掃き捨てた後，電荷の蓄積を開始して，所定期間電荷を蓄積」する。
　この記載からは，「電子シャッタ信号」は，シャッタボタンの操作により単発で発生する信号と考えられる。
　そこで，本願明細書の詳細な説明の「電子シャッタ信号」に関連する記載及び図４を参照するに，
　「例えば１／３０秒の垂直同期信号ＶＤのタイミングが，図４（ｂ）に示すようであるとき，シャッタボタンが押され図４（ａ）に示すようなシャッタパルスＳＰが発生したとする。このとき，タイミングジェネレータ４では，図４（ｃ）に示すように，各種タイミング信号（例えば，読み出し信号，電子シャッタ信号，垂直転送信号，水平転送信号等）ＳＵＢがリセットされる。」（段落２３）の記載からすれば，「電子シャッタ信号」は，シャッタボタンが押され図４（ａ）に示すようなシャッタパルスＳＰが発生したとするとき，タイミングジェネレータ４においてリセットされる各種タイミング信号ＳＵＢ（図４（ｃ））の一種であるから，何らかの周期性のある信号であることが認められる。
　一方，「ステップＳ１において，シャッタボタン１１が操作され，シャッタオンと判定された場合，ステップＳ２に進み，シスコン９によりタイミングジェネレータ４がリセットされる。次にステップＳ３で，シスコン９の制御によりタイミングジェネレータ４からアクティブローの電子シャッタ信号がＣＣＤドライバ３に与えられ，受光部３０で発生された電荷がＣＣＤの基板側（ＳＵＢ側）に捨てられる。」（段落１８），「上述したように，シスコン９の制御によりタイミングジェネレータ４からアクティブローの電子シャッタ信号（図４（ｃ）中のＡ）がＣＣＤドライバ３に与えられ，受光部３０で発生された電荷が基板に瞬時に掃き捨てられる。」（段落２３），「受光部３０では電荷の掃き捨て後に，図４（ｄ）に示すように，露光が開始され電荷が蓄積される。一方，アクティブローの電子シャッタ信号（図４（ｃ）中のＡ）を受け，垂直転送部３１は，図４（ｇ）に示すように，タイミングジェネレータ４からの垂直転送クロックでの通常転送モードから高速転送モードに移り，残されている電荷を水平転送部３２に高速転送し垂直転送部３１内をクリヤした後，通常転送モードに戻り，さらに図４（ｈ）に示すように，水平転送部３２では高速転送された電荷をクリヤする。」（段落２４）の記載によれば，
　図４（ｃ）中のＡで示される「アクティブローの電子シャッタ信号」により，受光部３０で発生された電荷がＣＣＤの基板側（ＳＵＢ側）に捨てられ，垂直転送部３１は，通常転送モードから高速転送モードに移ることが認められるから，上記図４（ｃ）中のＡで示される「アクティブローの電子シャッタ信号」は，周期的に発生するものではなく，シャッタボタンの操作により単発で発生するものであることが認められる。　　
　そうすると，本願補正発明にいう「電子シャッタ信号」は，図４（ｃ）で示されるような「発生された電荷を掃き捨てた後に電荷の蓄積を開始して所定期間電荷を蓄積するよう制御するための」信号（以下，「電子シャッタ信号Ｘ」ともいう。）と，該信号のうち「シャッタボタンの操作」により「リセット」されて立ち上がる部分と同じタイミングで与えられる「アクティブローの電子シャッタ信号」（図４（ｃ）中のＡ）（以下，「電子シャッタ信号Ｙ」ともいう。）との総称であり，シャッタボタンの操作に応じて上記「電子シャッタ信号Ｘ」がリセットされるとともに上記「電子シャッタ信号Ｙ」が与えられ，上記「電子シャッタ信号Ｙ」により，光電変換手段が「発生した前記電荷を掃き捨てた後，電荷の蓄積を開始して，所定期間電荷を蓄積」するとともに，垂直転送部３１が通常転送モードから高速転送モードに移ると解するのが相当である。
　
（ｂ２）引用発明との対比
　引用例１の上記記載（ア）ないし（ウ）及び図３によれば，シャッタートリガ信号が入力されていない状態（図４のａ点まで）で，走査系タイミング発生器５は，水平同期信号に同期して１水平走査期間内に１回，ＣＣＤ１に電荷掃き捨てパルスを送るよう制御し，これによってフォトダイオード２は常に電荷の蓄積がない状態となる。また，引用例１の図４を参照すれば，垂直同期信号の立ち下がりに同期して上記画像掃き出しパルスが一定時間停止されることがみてとれる。
　この水平同期信号に同期する電荷掃き捨てパルスを一定時間停止するよう制御するための（同掃き捨てパルスをマスクするための）「信号」が存在することが明らかであり，この「信号」により，フォトダイオード２に対して発生された電荷を掃き捨てた後に電荷の蓄積を開始して所定期間電荷を蓄積するよう制御しているから，この「信号」は，「光電変換手段に対して，発生された電荷を掃き捨てた後に電荷の蓄積を開始して所定期間電荷を蓄積するよう制御するための」信号であって，本願補正発明にいう「電子シャッタ信号」（上記ｂ１の「電子シャッタ信号Ｘ」）に相当する。　
　また，シャッタートリガ信号が入力されると（図４のａ点），同期信号発生器６は，同期信号をリセットして走査系タイミング発生器５に入力し，走査系タイミング発生器５は，リセットされた同期信号を受けて電荷掃き捨てパルスを一定時間停止し，電荷を蓄積するよう制御する。
　シャッタートリガ信号に応じて，上記「信号」（上記ｂ１の「電子シャッタ信号Ｘ」）のタイミングがリセットされ，前記光電変換手段に対して新たなタイミング（図４のａ点）で与えられる「信号」に応じて，電荷の蓄積が開始され，一定時間電荷が蓄積されるといえるから，
　「シャッタボタンが操作されたとき」与えられるかどうかは別とすれば、上記光電変換手段に対して新たなタイミングで与えられる「信号」は、本願補正発明にいう「電子シャッタ信号（上記ｂ１の「電子シャッタ信号Ｙ」に対応。）」に対応する。
　
ｃ　「読み出し信号」
　引用例１の上記記載（ア）によれば，フォトダイオード２に蓄積されていた電荷はトランスファーゲートパルスによって垂直レジスタに転送される。
　引用例１の上記記載（ウ）によれば，シャッタートリガ信号が入力されると，同期信号発生器６からリセットされた同期信号を受けた走査系タイミング発生器５は，トランスファーゲートパルスを一定時間停止する。そして，ｂ点においてトランスファーゲートパルスを作動すると，ａ−ｂ期間にフォトダイオード２に蓄積された電荷は垂直レジスタ３へ転送される。
　引用例１の「トランスファーゲートパルス」は，本願補正発明にいう「前記垂直転送手段に対して，前記光電変換手段により発生された電荷の読み出しを制御するための読み出し信号」に相当する。
　
ｄ　「垂直転送信号」，「水平転送信号」
　引用例１の上記記載（イ），（ウ）によれば，走査系タイミング発生器５は，シャッタートリガ信号が入力されていない状態（図４のａ点まで）で，画像読みだしパルスを走査系タイミング発生器５からＣＣＤ１へ送り，これによって垂直レジスタ３及び水平レジスタ４内は電荷の蓄積がない状態になっている。
　シャッタートリガ信号が入力されると（図４のａ点），走査系タイミング発生器５は，同期信号発生器６からリセットされた同期信号を受けて，画像読みだしパルスを一定時間停止した後，リセットされた垂直同期信号の立ち上がりに同期して，画像読みだしパルスを作動させる。これにより，シャッタートリガ信号入力後，ａ−ｂ期間露光された画像信号がＣＣＤ１より読み出される。
　上記引用例１には，「（光電変換手段から読み出した）電荷の垂直方向への転送を制御する垂直転送信号」及び「垂直転送手段により転送された電荷の読み出しと水平方向への転送を制御する水平転送信号」については明記されていないものの，
　引用例１の上記記載（イ），（ウ）によれば，「画像読み出しパルス」によってＣＣＤの垂直レジスタ３及び水平レジスタ４内の電荷を排出又は出力しているのであるから，図３及びインターライントランスファー型ＣＣＤの一般的な構成を考慮すれば，
　引用発明の「画像読み出しパルス」は，「（光電変換手段から読み出した）電荷の垂直方向への転送を制御する垂直転送信号」及び「垂直転送手段により転送された電荷の読み出しと水平方向への転送を制御する水平転送信号」の総称，上記「垂直転送信号」，上記「水平転送信号」，若しくは，少なくともこれらに同期した信号のうちいずれかに相当するものといえ，
　引用発明においても，「（光電変換手段から読み出した）電荷の垂直方向への転送を制御する垂直転送信号」及び「垂直転送手段により転送された電荷の読み出しと水平方向への転送を制御する水平転送信号」の存在が認められる。
　
ｅ　「制御手段」
　上記ａないしｄによれば，引用発明の「同期信号発生器」と「走査系タイミング発生器」とを併せたものは，「前記光電変換手段に対して，発生された電荷を掃き捨てた後に電荷の蓄積を開始して所定期間電荷を蓄積するよう制御するための電子シャッタ信号を与え，前記垂直転送手段に対して，前記光電変換手段により発生された電荷の読み出しを制御するための読み出し信号，および，読み出した電荷の垂直方向への転送を制御する垂直転送信号を与え，前記水平転送手段に対して，前記垂直転送手段により転送された電荷の読み出しと水平方向への転送を制御する水平転送信号を与える制御手段」といえる。
　もっとも，本願補正発明の制御手段は，垂直転送手段に対して「速度を制御する」垂直転送信号を与えるものであるのに対し，引用例１には，そのような記載はない。
　
ｆ　「シャッタボタン」，「シャッタボタンが操作されたとき」，「シャッタボタンの操作」
　引用例１の上記記載（ウ）によれば，シャッタートリガ信号の入力によって同期信号がリセットされるところ，これにより，同期信号に同期して発生していると想定される電荷掃き捨てパルス，画像読みだしパルス，トランスファーゲートパルスのタイミングもリセットされ，撮像が行われると認められる。上記「シャッタートリガ信号」は，同期信号とは無関係のタイミングで与えられるものと認められ，引用発明は，上記「シャッタートリガ信号」の入力を契機として撮像を行うものといえる。
　一方，本願補正発明は，「ユーザが撮像を指示する場合に操作入力するシャッタボタン」を有し，「前記シャッタボタンが操作されたとき，」そのタイミングで各種タイミング信号をリセットするものであり，「前記シャッタボタンの操作」を契機として撮像を行っている。
　引用発明の「シャッタートリガ信号」と，本願補正発明の「シャッタボタンの操作」とは，いずれも「同期信号とは無関係のタイミングで与えられる撮像契機」といい得る点で共通しているものの，
　本願補正発明では，「ユーザが撮像を指示する場合に操作入力するシャッタボタン」を有し，制御手段が，電子シャッタ信号（上記ｂ１の「電子シャッタ信号Ｘ」），読み出し信号，垂直転送信号，および，水平転送信号のタイミングをリセットし，光電変換手段に対して新たなタイミングで前記電子シャッタ信号（上記ｂ１の「電子シャッタ信号Ｙ」）を与えるための上記「同期信号とは無関係のタイミングで与えられる撮像契機」が，「前記シャッタボタンが操作されたとき，」「前記シャッタボタンの操作」であるのに対し，
　引用発明では，「ユーザが撮像を指示する場合に操作入力するシャッタボタン」を有するかどうか定かではなく，上記「同期信号とは無関係のタイミングで与えられる撮像契機」が，シャッタートリガ信号の入力である点で相違が認められる。
　
ｇ　シャッタボタンの操作後，光電変換手段への電荷の蓄積が終了するまでの動作
（ｇ１）光電変換手段の動作
　引用例１の上記記載（イ），（ウ）及び図４によれば，シャッタートリガ信号が入力されると（図４のａ点），同期信号発生器６は，同期信号をリセットして走査系タイミング発生器５に入力し，走査系タイミング発生器５は，リセットされた同期信号を受けて電荷掃き捨てパルスを一定時間停止し，電荷を蓄積するよう制御する。
　もっとも，上記電荷掃き捨てパルスは，水平同期信号に同期して１水平走査期間内に１回，ＣＣＤ１に送られ，フォトダイオード２を電荷の蓄積がない状態にするものであるから（記載（イ）），上記一定時間停止する前の最後の電荷掃き捨てパルスによって電荷が掃き捨てられた後，シャッタートリガ信号が入力されて電荷の蓄積が開始されるまでの間に発生した電荷を掃き捨てるかどうかについて，引用例１には記載はない。
　そうすると，引用発明の「制御手段」（上記ｅ参照）は，シャッタートリガ信号の入力に応じて「前記電子シャッタ信号」（上記ｂ１の「電子シャッタ信号Ｘ」）の「タイミングをリセット」し，「前記光電変換手段に対して新たなタイミングで前記電子シャッタ信号（上記ｂ１の「電子シャッタ信号Ｙ」に対応。）を与え」ているといえ，
　引用発明の「光電変換手段」（上記ａ参照）は，「前記制御手段より新たなタイミングで与えられた前記電子シャッタ信号に応じて」，「電荷の蓄積を開始して，所定期間電荷を蓄積」するものといえる。
　もっとも，本願補正発明では，「シャッタボタンが操作されたとき」，光電変換手段は，制御手段より新たなタイミングで与えられた前記電子シャッタ信号（上記ｂ１の「電子シャッタ信号Ｙ」に対応。）に応じて，「発生した前記電荷を掃き捨てた後」，電荷の蓄積を開始するのに対し，引用例１には，この点について記載がない。
　
（ｇ２）垂直転送手段，水平転送手段の動作
　上記ａ及びｄによれば，走査系タイミング発生器５は，シャッタートリガ信号が入力されていない状態で，ＣＣＤ１へ画像読みだしパルスを送り，「前記光電変換手段により発生された電荷を読み出し，垂直方向に転送する垂直転送手段」及び「前記垂直転送手段により転送された電荷を読み出し，水平方向に転送する水平転送手段」を電荷の蓄積がない状態にしていることから，
　シャッタートリガ信号が入力されていない状態で，「前記垂直転送手段に対して，電荷の転送を行わせる前記垂直転送信号を与え」，垂直転送手段は「制御手段からの前記垂直転送信号に応じて，残されている電荷を前記水平転送手段へ転送してクリヤし」，前記水平転送手段は，前記制御手段からの水平転送信号に応じて，「前記垂直転送手段より転送された電荷を水平転送してクリヤ」する構成の存在は認められるものの，
　シャッタートリガ信号が入力されたときには，画像読みだしパルスは一定時間停止され，上記一定時間の間は，「垂直転送手段」及び「水平転送手段」の電荷をクリアしていない。
　一方，本願補正発明では，制御手段は，垂直転送手段に対して「速度を制御する」垂直転送信号を与えるものであって（上記ｅ参照），「シャッタボタンが操作されたとき，」「前記垂直転送手段に対して，電荷の高速転送を行わせる前記垂直転送信号を与え」，垂直転送手段は「制御手段からの前記垂直転送信号に応じて，残されている電荷を前記水平転送手段へ高速転送してクリヤし」，前記水平転送手段は，前記制御手段からの水平転送信号に応じて，「前記垂直転送手段より高速転送された電荷を水平転送してクリヤ」する。
　したがって，本願補正発明では，制御手段は，垂直転送手段に対して「速度を制御する」垂直転送信号を与えるものであって（上記ｅ参照），「シャッタボタンが操作されたとき」，「前記垂直転送手段に対して，電荷の高速転送を行わせる前記垂直転送信号を与え」，垂直転送手段は「制御手段からの前記垂直転送信号に応じて，残されている電荷を前記水平転送手段へ高速転送してクリヤし」，前記水平転送手段は，「前記制御手段からの水平転送信号に応じて，前記垂直転送手段より高速転送された電荷を水平転送してクリヤ」するのに対し，引用発明には，そのような構成がない点で相違する。
　
ｈ　光電変換手段への電荷の蓄積が終了した後の動作
　引用例１の上記記載（ウ）及び図４によれば，ｂ点において，一定時間停止していたトランスファーゲートパルスが作動し，シャッタートリガ信号の入力後ａ−ｂ期間にフォトダイオード２に蓄積された電荷が垂直レジスタ３へ転送される。また，画像読みだしパルスが作動して上記ａ−ｂ期間露光された画像信号がＣＣＤ１より読み出される。
　上記ｃ及びｄを参照すれば，引用発明は，「前記制御手段は，前記光電変換手段により電荷の蓄積が終了した後，前記垂直転送手段に対して前記読み出し信号を与え，前記垂直転送手段に対して，電荷の通常転送を制御する前記垂直転送信号を与え，
　前記垂直転送手段は，前記光電変換手段により電荷の蓄積が終了した後，前記制御手段からの前記読み出し信号に応じて，蓄積された電荷の読み出しを開始し，前記制御手段からの前記垂直転送信号に応じて，電荷を前記水平転送手段へ通常転送する」ものといえる。
　ところで，本願補正発明では，「前記制御手段は，前記光電変換手段により電荷の蓄積が終了した後，前記垂直転送手段に対して前記読み出し信号を与え，前記垂直転送手段による高速転送が終了した後，前記垂直転送手段に対して，電荷の通常転送を制御する前記垂直転送信号を与え」としているが，
　シャッタボタンの操作後に行われる上記「高速転送」による「クリア」処理（上記ｇ２参照）は，光電変換手段に電荷を蓄積している間は，光電変換手段から垂直転送手段に電荷が流れ込まないことからみても，明細書及び図面の記載からみても，光電変換手段による電荷の蓄積終了前，読み出し信号が与えられる前までに終了している処理であることが明らかである。
　そうすると，本願補正発明において，光電変換手段への電荷の蓄積が終了した後の動作における上記「前記垂直転送手段による高速転送が終了した後」なる限定は，上記ｇ２で言及した構成の相違から生じる文言上の差異であって，本願補正発明と引用発明とで，光電変換手段への電荷の蓄積が終了した後の動作に実質的な相違はない。
　
　上記ａないしｈのとおりであるから，本願補正発明と引用発明とは，
「入射光量に対応した電荷を発生する，１画面分の画素に対応した光電変換手段と，
　前記光電変換手段により発生された電荷を読み出し，垂直方向に転送する垂直転送手段と，
　前記垂直転送手段により転送された電荷を読み出し，水平方向に転送する水平転送手段と，
　前記光電変換手段に対して，発生された電荷を掃き捨てた後に電荷の蓄積を開始して所定期間電荷を蓄積するよう制御するための電子シャッタ信号を与え，前記垂直転送手段に対して，前記光電変換手段により発生された電荷の読み出しを制御するための読み出し信号，および，読み出した電荷の垂直方向への転送を制御する垂直転送信号を与え，前記水平転送手段に対して，前記垂直転送手段により転送された電荷の読み出しと水平方向への転送を制御する水平転送信号を与える制御手段と，
　を備え，
　同期信号とは無関係のタイミングで与えられる撮像契機が与えられたとき，
　　前記制御手段は，前記同期信号とは無関係のタイミングで与えられる撮像契機に応じて前記電子シャッタ信号，前記読み出し信号，前記垂直転送信号，および，前記水平転送信号のタイミングをリセットし，前記光電変換手段に対して新たなタイミングで前記電子シャッタ信号を与え，
　　前記光電変換手段は，前記制御手段より新たなタイミングで与えられた前記電子シャッタ信号に応じて，電荷の蓄積を開始して，所定期間電荷を蓄積し，
　　前記制御手段は，前記光電変換手段により電荷の蓄積が終了した後，前記垂直転送手段に対して前記読み出し信号を与え，前記垂直転送手段に対して，電荷の通常転送を制御する前記垂直転送信号を与え，
　　前記垂直転送手段は，前記光電変換手段により電荷の蓄積が終了した後，前記制御手段からの前記読み出し信号に応じて，蓄積された電荷の読み出しを開始し，前記制御手段からの前記垂直転送信号に応じて，電荷を前記水平転送手段へ通常転送するとともに，
　前記水平転送手段は，前記制御手段からの前記水平転送信号に応じて，前記垂直転送手段より転送された電荷を水平転送する
　ことを特徴とする撮像装置。」
である点で一致し，以下の各点で相違している。
　
［相違点１］
　本願補正発明では，「ユーザが撮像を指示する場合に操作入力するシャッタボタン」を有し，制御手段が，電子シャッタ信号，読み出し信号，垂直転送信号，および，水平転送信号のタイミングをリセットし，光電変換手段に対して新たなタイミングで前記電子シャッタ信号を与えるための上記「同期信号とは無関係のタイミングで与えられる撮像契機」が，「前記シャッタボタンが操作されたとき，」「前記シャッタボタンの操作」であるのに対し，引用発明では，「ユーザが撮像を指示する場合に操作入力するシャッタボタン」を有するかどうか定かではなく，上記「同期信号とは無関係のタイミングで与えられる撮像契機」が，シャッタートリガ信号の入力である点。
［相違点２］
　本願補正発明では，「シャッタボタンが操作されたとき」，光電変換手段は，制御手段より新たなタイミングで与えられた前記電子シャッタ信号に応じて，「発生した前記電荷を掃き捨てた後」，電荷の蓄積を開始するのに対し，引用例１には，この点について記載がない。
［相違点３］
　本願補正発明では，制御手段は，垂直転送手段に対して「速度を制御する」垂直転送信号を与えるものであって，「シャッタボタンが操作されたとき」，「前記垂直転送手段に対して，電荷の高速転送を行わせる前記垂直転送信号を与え」，垂直転送手段は「制御手段からの前記垂直転送信号に応じて，残されている電荷を前記水平転送手段へ高速転送してクリヤし」，前記水平転送手段は，「前記制御手段からの水平転送信号に応じて，前記垂直転送手段より高速転送された電荷を水平転送してクリヤ」するのに対し，引用発明には，そのような構成がない点。
　
ウ　判断
　上記各相違点につき判断する。
（ア）相違点１について
　撮像装置において，「ユーザが撮像を指示する場合に操作入力するシャッタボタン」を設けて，「前記シャッタボタンが操作されたとき，」「前記シャッタボタンの操作」でシャッタートリガ信号を発生させて撮像契機とすることは周知慣用技術にすぎず，相違点１に係る構成は，当業者が適宜採用し得る事項である。また，これによる効果も当業者が予測できる範囲のものである。
　
（イ）相違点２について
（イ−１）引用例２の記載技術
　引用例２の上記記載（エ）ないし（ク），図２及び図３によれば，任意のタイミングで撮像を行うことを目的とする，電子シャッタ機能を有するフィールド蓄積型のＣＣＤイメージセンサを使用した固体撮像装置において，
　基準同期信号発生回路２２は，トリガパルスＡが供給されると，垂直同期信号ＶＤと水平同期信号ＨＤを作成してタイミング発生回路２３に供給し，
　タイミング発生回路２３は，基準同期信号発生回路２２から供給される垂直同期信号ＶＤと水平同期信号ＨＤとを基準にして，ＣＣＤ１２を駆動させる場合に基準となる水平転送パルスや読出しパルスなどの各種パルスを作成する。
　上記トリガパルスＡが供給されると，これと同時に立ち上がるシャッタパルスＢとリセット禁止パルスＣとが作成され，タイミング発生回路２３から図３のＤに示す水平周期の水平転送パルスが出力されているとすると，ＮＯＲゲート２９からの掃き捨てパルスＦがＣＣＤ１２に供給され，ＣＣＤ１２に蓄積した信号電荷を掃き捨てた後，信号電荷の蓄積を開始する。上記掃き捨てパルスＦは，リセット禁止パルスＣがハイレベルになっている所定期間水平転送パルスを間引くことにより，間引き前の最後の掃き捨てパルスＥの後にシャッタパルスＢを付加したものである。
　そして，トリガパルスＡが供給されてから僅かな時間が経過した後，基準同期信号発生回路２２で作成される垂直同期信号ＶＤＧがローレベルに変化して，垂直ブランキング期間となり，垂直ブランキング期間の終了時に立ち上がる読出しパルスＨが作成され，この読出しパルスがＣＣＤ１２に供給されることで，ＣＣＤ１２に蓄積した信号電荷が読み出される。
　トリガパルスＡの入力によって立ち上がるリセット禁止パルスＣと同じタイミングで発生し，リセット禁止パルスによって間引かれた掃き捨てパルス列Ｅの最後に付加されるシャッタパルスＢは，本願補正発明にいう「電子シャッタ信号」（上記ｂ１の「電子シャッタ信号Ｙ」）に相当するといえ，上記シャッタパルスＢにより，上記掃き捨てパルス列Ｅの最後のパルスによって電荷が掃き捨てられた後，トリガパルスＡが入力されて電荷の蓄積が開始されるまでの間に発生した電荷を掃き捨てることが認められる。
　したがって，引用例２には，任意のタイミングで撮影開始を指示するトリガパルスＡ（「同期信号とは無関係のタイミングで与えられる撮像契機」に相当。）が与えられたとき，ＣＣＤ１２（本願補正発明の「光電変換手段」に相当。）は，タイミング制御回路２０（本願補正発明にいう「制御手段」に相当。）より新たなタイミングで与えられたシャッタパルスＢ（本願補正発明にいう「電子シャッタ信号」（上記ｂ１の「電子シャッタ信号Ｙ」）に相当。）に応じて，「発生した前記電荷を掃き捨てた後」，電荷の蓄積を開始する技術が記載されているといえる。
（イ−２）動機付け
　引用例２記載の同技術（上記（イ−１）参照。）をみれば，引用発明においても，電荷掃き捨てパルスを上記一定時間停止する前の最後の電荷掃き捨てパルスによって電荷が掃き捨てられた後，シャッタートリガ信号が入力されて電荷の蓄積が開始されるまでの間に発生した不要電荷が生じ得ることは当業者に明らかであるから，引用発明において，引用例２に記載された技術を採用する動機付けがあるといえる。
（イ−３）「シャッタボタンの操作」によって撮像契機を与える点
　また，引用例２の上記記載（カ）によれば，上記トリガパルスＡは，移動する被写体１が予め定めた範囲内にあることを被写体検知装置２が検知したとき，上記被写体検知装置２からタイミング制御回路２０に供給されるものであり，このトリガパルスＡにより撮像を行っているが，
　上記被写体検知装置に代えて，シャッタボタンを設けてその操作でトリガパルスを発生させるように設計変更することは，上記「（ア）相違点１について」と同様，当業者が適宜なし得ることにすぎないし，上記設計変更がトリガパルスの撮像契機としての機能に何ら影響を与えるものでもない。
（イ−４）まとめ
　してみると，相違点２に係る構成は，引用発明において，シャッタボタンの操作によって上記撮像契機を与えるように適宜設計変更しつつ，上記引用例２の記載技術（同期信号とは無関係のタイミングで与えられる撮像契機が与えられたとき，光電変換手段は，制御手段より新たなタイミングで与えられた電子シャッタ信号に応じて，発生した前記電荷を掃き捨てた後，電荷の蓄積を開始する技術）を採用することにより，当業者が容易になし得ることといえる。また，これによる効果も当業者が予測できる範囲のものである。
　
（ウ）相違点３について
（ウ−１）周知技術
　光電変換手段における電荷の蓄積開始に応じて，電荷の蓄積と並行して，垂直転送手段に対して速度を制御した垂直転送信号を与えるよう制御して，垂直転送手段に対して電荷の高速転送を行わせる垂直転送信号を与えて，垂直転送手段の不要電荷を高速転送してクリアするとともに，水平転送手段の不要電荷を水平転送してクリアすることは周知技術（例えば，特開昭５９−３３９８０号公報（原査定で周知例として例示。昭和５９年２月２４日出願公開。特に，第１ページ左下欄第１７行ないし第２０行，第３ページ右上欄第３行ないし左下欄第１０行，第１図及び第２図），特開平４−３５６８７９号公報（原査定で周知例として例示。平成４年１２月１０日出願公開。特に，段落７，１８ないし１９，２７ないし２８，図２及び図５）または特開昭５９−８００６９号公報（昭和５９年５月９日出願公開。特に，第２ページ左上欄第８行ないし第１１行，第３ページ左下欄第１０行ないし第５ページ左上欄第１４行，第２図及び第３図）参照）である。
（ウ−２）引用発明の制御と周知技術の制御の関係，判断
　そして，引用発明は，同期信号とは無関係のタイミングで与えられる撮像契機が与えられたとき，上記撮像契機に応じて，読み出し信号，垂直転送信号，および，水平転送信号のタイミングをリセットするとともに，光電変換手段での電荷の蓄積を開始するよう制御するものであり，
　上記周知技術は，光電変換手段に電荷が蓄積されている間は，光電変換手段から垂直転送手段に電荷が流れ込まないことから，光電変換手段への電荷の蓄積開始に応じて，光電変換手段への電荷の蓄積と並行して，垂直転送手段に対して速度を制御した垂直転送信号を与えるよう制御して，垂直転送手段に対して電荷の高速転送を行わせる垂直転送信号を与えて，垂直転送手段の不要電荷を高速転送してクリアするとともに，水平転送信号の不要電荷を水平転送してクリアするものであるから，
　これらの制御を独立して採用し得ることは上記周知技術の本質から明らかである。
　そうすると，引用発明において，垂直及び水平転送手段の不要電荷の排出という周知の課題を解決すべく，上記周知技術を適用することは，当業者が容易に想到することといえ，
　その場合（撮像契機が与えられたとき，光電変換手段での電荷の蓄積を開始するように制御する引用発明に，上記周知技術を適用する場合），撮像契機が与えられたとき，光電変換手段への電荷の蓄積開始に応じて，光電変換手段への電荷の蓄積と並行して，垂直転送手段に対して速度を制御した垂直転送信号を与えるよう制御して，垂直転送手段に対して電荷の高速転送を行わせる垂直転送信号を与えて，垂直転送手段の不要電荷を高速転送してクリアするとともに，水平転送信号の不要電荷を水平転送してクリアすることとなる。
　そして，上記「 （ア）相違点１について」で判断したとおり，「ユーザが撮像を指示する場合に操作入力するシャッタボタン」を設けて，「前記シャッタボタンが操作されたとき，」「前記シャッタボタンの操作」を撮像契機とすることも，当業者が適宜なし得ることにすぎないといえるところ，
　相違点３に係る構成は，「シャッタボタンが操作されたとき」前記垂直転送手段に対して，電荷の高速転送を行わせる前記垂直転送信号を与えて，垂直転送手段及び水平転送手段の電荷の排出を行うものではあるものの，
　特に「シャッタボタンが操作されたとき」を撮像契機として上記電荷の排出を行うことに格別の技術的意義があるというわけではなく，その本質は，撮像契機が与えられたとき，光電変換手段への電荷の蓄積開始に応じて，光電変換手段への電荷の蓄積と並行して，上記電荷の排出を行うことにあるといえるから，　
　相違点３に係る構成は，引用発明において，相違点１に係る構成を適宜採用しつつ，上記周知技術を採用することにより，当業者が容易になし得ることといえる。
（ウ−３）まとめ
　以上より，相違点３に係る構成は，「シャッタボタンが操作されたとき」前記垂直転送手段に対して，電荷の高速転送を行わせる前記垂直転送信号を与えて，垂直転送手段及び水平転送手段の電荷の排出を行うものではあるものの，
　引用発明において，相違点１に係る構成を適宜採用しつつ，上記周知技術を採用することにより，当業者が容易になし得ることである。また，これによる効果も，当業者が予測できる範囲のものである。
　
（エ）請求人の効果に関する主張について
　なお，請求人は，「ユーザがシャッタを押下したタイミングで撮像を行うときに，残留電荷によるノイズを防止することができるという，引用例１乃至引用例４のいずれにおいても奏することができない，また，引用例乃至引用例４を単純に加えただけでは奏することのできない顕著な効果を奏する。」（ここで，引用例１乃至引用例４は，それぞれ拒絶理由通知において引用された引用例２（上記引用例１：特開平６−１４２７０号公報）及び拒絶査定時に例示された周知例（特開昭５９−３３９８０号公報，特開平４−３５６８７９号公報，特開平６−９０４０６号公報）を指す。）と主張しているが，
　上記「ユーザがシャッタを押下したタイミングで撮像を行うときに，残留電荷によるノイズを防止することができる」という効果は，請求人が認める「引用例１に記載の技術と同様に，ユーザがシャッタを押下したタイミングに基づいて，所望の瞬間の静止画を取り込むことができるという顕著な効果」と「引用例２乃至引用例４に記載の技術と同様に，残留電荷によるノイズを防止することができるという顕著な効果」とを単純に加えた効果と比べて，格別顕著なものとはいえない。
　
　以上判断したとおり，本願補正発明における上記相違点１ないし３に係る構成はいずれも当業者が容易に想到し得たものであり，また，各相違点を総合しても本願補正発明は当業者が想到することが困難なものとはいえない。
　そして，本願補正発明の作用効果も，上記各引用例及び周知技術から当業者が予測できる範囲のものである。
　
　したがって，本願補正発明は，上記各引用例に記載された発明及び周知技術に基づいて，当業者が容易に発明をすることができたものであるから，特許法第２９条第２項の規定により特許出願の際独立して特許を受けることができないものである。
　
　上記アないしウのとおりであるから，本件補正は，特許法第１７条の２第５項の規定に違反するので，特許法第１５９条第１項の規定において読み替えて準用する同法第５３条第１項の規定により却下されるべきものである。
　
第３　本願発明について
１　本願発明
　平成１６年９月２７付けの手続補正は上記のとおり却下されたので，本願の請求項１ないし５に係る発明は，平成１５年１１月２５日付け手続補正書の特許請求の範囲の請求項１ないし５に記載された事項により特定されるものであると認められるところ，その請求項１に記載された発明（以下，「本願発明」という。）は以下のとおりのものである。
「【請求項１】入射光量に対応した電荷を発生する，１画面分の画素に対応した光電変換手段と，
　前記光電変換手段により発生された電荷を読み出し，垂直方向に転送する垂直転送手段と，
　前記垂直転送手段により転送された電荷を読み出し，水平方向に転送する水平転送手段と，
　前記光電変換手段により発生された電荷の，前記垂直転送手段による読み出しおよび転送とその速度，並びに，前記垂直転送手段に転送された電荷の，前記水平転送手段による読み出しおよび転送を制御する制御手段と，
　ユーザが撮像を指示する場合に操作入力するシャッタボタンと
　を備え，
　前記シャッタボタンが操作されたとき，
　　前記光電変化手段は，発生した前記電荷を掃き捨てた後，電荷の蓄積を開始して，所定期間電荷を蓄積し，
　　前記制御手段は，前記垂直転送手段に残されている前記電荷の，前記水平転送手段への高速転送を制御して前記垂直転送手段の前記電荷をクリヤさせるとともに，高速転送された前記水平転送手段の前記電荷の転送を制御して，前記水平転送手段の前記電荷をクリヤさせたのち，前記光電変換手段により発生された電荷の，前記垂直転送手段による読み出しが開始されるように制御する
　ことを特徴とする撮像装置。」
　
２　引用例
　原査定の拒絶の理由に引用された特開平６−１４２７０号公報（前記「第２　２（３）ア」の「引用例１」と同じ。）及び特開平５−１３０５１５号公報（前記「第２　２（３）ア」の「引用例２」と同じ。）の記載事項は，前記「第２　２（３）ア」に記載したとおりである。
　　
３　対比・判断
　本願発明は，前記「第２　２（３）」で検討した本願補正発明から限定事項を省いたものである。
　そうすると，本願発明の構成要件を全て含み，さらに他の構成要件を付加したものに相当する本願補正発明が，前記「第２　２（３）ウ」に記載したとおり，上記各引用例及び周知技術に基づいて，当業者が容易に発明をすることができたものであるから，本願発明も，同様の理由により，上記各引用例に記載された発明及び周知技術に基づいて，当業者が容易に発明をすることができたものである。
　　
４　むすび
　以上のとおり，本願の請求項１に記載された発明は，上記各引用例に記載された発明及び周知技術に基づいて，当業者が容易に発明をすることができたものであるから，特許法第２９条第２項の規定により特許を受けることができない。
　
　したがって，本願の他の請求項について検討するまでもなく，本願は拒絶されるべきものである。
　
　よって，結論のとおり審決する。